(57)【要約】【課題】太陽電池パネル等の外設パネルをビス等の固定具で漏水を起こすことなく容易に固定することができ、また、太陽電池パネル等の裏面空間の排熱が円滑に行える外設パネルの構築構造、及びそれに用いる外装材を提供する。【解決手段】本発明は、外装材１の両側縁に立ち上がり部１２，１２'と、各立ち上がり部１２，１２'上端をそれぞれ外側に延出した載置部１３'，１３'とを有し、一方には載置部１３から起立すると共に外側に延出した重合部１４を形成し、他方には載置部１３'から起立すると共に内側に延出した被重合部１５を形成し、重合部１４、被重合部１５は、略平坦状に上面部１４２，１５２が形成されて重合すると共に、重合部１４には、上面部１４２の外側端から下方へ折り下げた折曲部１４３を形成した外装構造と、この外装構造の載置部１３，１３'に外設パネル３の側部を載乗し、上面部１４２，１５２に外設パネル３を保持する固定部材４を固定したことを特徴とする。【選択図】図１
2014077340.tif 000002
【特許請求の範囲】
【請求項１】
外装材の両側縁に立ち上がり部と、各立ち上がり部上端をそれぞれ外側に延出した載置部とを有し、一方には前記載置部から起立すると共に外側に延出した重合部を形成し、他方には前記載置部から起立すると共に内側に延出した被重合部を形成し、
前記重合部、被重合部は、略平坦状に上面部が形成されて重合すると共に、重合部には、上面部の外側端から下方へ折り下げた折曲部を形成した外装構造と、
前記外装構造の載置部に外設パネルの側部を載乗し、上面部に前記外設パネルを保持する固定部材を固定したことを特徴とする外設パネルの構築構造。
【請求項２】
外装材は、載置部より内側に保持部材に係合する係合部を設けたことを特徴とする請求項１に記載の外設パネルの構築構造。
【請求項３】
保持部材は、起立係止部を有し、外装材は、保持部材の起立係止部に係合する係合溝を有することを特徴とする請求項２に記載の外設パネルの構築構造。
【請求項４】
外装材の折曲部は、外側下方へ向けて延在し、その下端が他方の外装材の載置部に当接することを特徴とする請求項１〜３の何れか一項に記載の外設パネルの構築構造。
【請求項５】
外設パネルが太陽電池パネルであると共に、太陽電池パネルの対向部分及び／又は太陽電池パネルの端部に、裏面空間内の空気を排出する排出手段を備えることを特徴とする請求項１〜４の何れか一項に記載の外設パネルの構築構造。
【請求項６】
請求項１〜５の何れか一項に記載の外設パネルの構築構造に用いられる外装材であって、載置部より内側に保持部材に係合する係合部を有し、折曲部は、外側下方へ向けて延在し、その下端が他方の外装材の載置部に当接していることを特徴とする外装材。
【発明の詳細な説明】
【技術分野】
【０００１】
本発明は、太陽電池パネル等の外設パネルをビス等の固定具で漏水を起こすことなく容易に固定することができ、また、太陽電池パネル等の裏面空間の排熱が円滑に行える外設パネルの構築構造、及びそれに用いる外装材に関する。
【背景技術】
【０００２】
屋根上に太陽電池パネルや緑化パネル等の外設パネルを敷設する場合、その多くは、新設或いは既設の屋根に金具を取り付け、その金具をベースにして前述の外設パネル等を取り付けるものである。
また、上記のような金具の取り付けにあっては、屋根或いは屋根の下地に対して直接ビス等で直止めする方法や、屋根材に前記金具を嵌合や係合、締着によって取り付ける方法が採られている。
【発明の概要】
【発明が解決しようとする課題】
【０００３】
しかしながら、前者の屋根材等に外設パネルを直接固定する場合には、固定部分（＝ビス穴）からの浸水の恐れがあり、また、外装材の種類や下地の構成によって固定箇所の制限を受け、自由にパネル設置ができないという問題もあった。
また、後者の場合は、ビス等による「穴」が形成されないため、屋根の雨仕舞いを損なうことは少ない反面、部材の増加による部材管理やコストの上昇が避けられなかった。さらに、係合等によって取り付けられるため、対象となる屋根材に（製品、施工）精度が求められ、施工誤差や変形等があった場合には所要の強度が得られないことや取り付けが不可能になるという問題もあった。
【０００４】
一方で、太陽電池の発電効率は、裏面が高温になると発電効率が低下することが知られている。対象となる建築物の規模、設置部分の勾配等の設置条件によって裏面の空気の移動（排気・排熱）が行われ難い場合があり、効率低下の要因となっている。
【０００５】
そこで、本発明は、太陽電池パネル等の外設パネルをビス等の固定具で漏水を起こすことなく容易に固定することができ、また、太陽電池パネル等の裏面空間の排熱が円滑に行える外設パネルの構築構造、及びそれに用いる外装材を提供することを目的とする。
【課題を解決するための手段】
【０００６】
本発明は、上記に鑑み提案されたものであって、外装材の両側縁に立ち上がり部と、各立ち上がり部の上端をそれぞれ外側に延出した載置部とを有し、一方には前記載置部から起立すると共に外側に延出した重合部を形成し、他方には前記載置部から起立すると共に内側に延出した被重合部を形成し、前記重合部、被重合部は、略平坦状に上面部が形成されて重合すると共に、重合部には、上面部の外側端から下方への折曲部を形成した外装構造と、前記外装構造の載置部に外設パネルの側部を載乗し、上面部に前記外設パネルを保持する固定部材を固定したことを特徴とする外設パネルの構築構造に関するものである。
【０００７】
また、本発明は、前記構築構造において、外装材は、載置部より内側に保持部材に係合する係合部を設けたことを特徴とする外設パネルの構築構造をも提案する。
【０００８】
また、本発明は、前記構築構造において、保持部材は、起立係止部を有し、外装材は、保持部材の起立係止部の内側に配される係合溝を有することを特徴とする外設パネルの構築構造をも提案する。
【０００９】
また、本発明は、前記構築構造において、外装材の折曲部は、外側下方へ向けて延在し、その下端が他方の外装材の載置部に当接することを特徴とする外設パネルの構築構造をも提案する。
【００１０】
また、本発明は、前記構築構造において、外設パネルが太陽電池パネルであると共に、太陽電池パネルの対向部分及び／又は太陽電池パネルの端部に、裏面空間内の空気を排出する排出手段を備えることを特徴とする外設パネルの構築構造をも提案する。
【００１１】
さらに、本発明は、前記外設パネルの構築構造に用いられる外装材であって、載置部より内側に保持部材に係合する係合部を有し、折曲部は、外側下方へ向けて延在し、その下端が他方の外装材の載置部に当接していることを特徴とする外装材をも提案するものである。
【発明の効果】
【００１２】
本発明の外設パネルの構築構造は、隣接する外装材の重合部及び被重合部を重合させて形成される上面部が、重合状の起立部、及び折曲部で中空の略筺状部分を形成するため、上方からの正荷重に対する耐力が高く、しかもビス等の固定具で漏水を起こすこともなく、太陽電池パネルや緑化パネル等の外設パネルを設置するために直接ビス等の固定具で直止めすることもできる。
特に折曲部の下端が他方の外装材の載置部に当接する場合には、閉鎖状の筺状部分が形成されるため、上方からの正荷重に対する耐力がより高いものとなり、例えば作業者が当該箇所を足場として歩行することもできる。
また、被重合部、重合部を重合させて形成される上面部が、中空の略筺状部分の上方に形成されるため、略筺状部分周辺に雨水等がまわっても略筺状部分内に侵入する恐れが少なく雨仕舞性能に優れるものである。さらに、特殊環境下等により万が一略筺状部分内に雨水が侵入しても重合部分にまわることがなく、屋根構造における外設パネルの非設置箇所（例えば軒先側）においても雨仕舞性能が高いものとなる。
【００１３】
また、外装材に載置部より内側に保持部材に係合する係合部を設けた場合には、外装材の載置部が外設パネルを支持する部位であるから、外設パネルの側部を載置部に載乗させた際に外装材が保持部材から外れることがなく、外設パネルの荷重を保持部材に負担させることができる。
【００１４】
また、保持部材が起立係止部を有し、外装材が保持部材の起立係止部に係合する係合溝を有する場合には、より安定に外装材を保持することができ、負圧に対して強固な構造とすることができる。
【００１５】
また、外設パネルが太陽電池パネルであると共に、太陽電池パネルの対向部分及び／又は太陽電池パネルの端部に、裏面空間内の空気を排出する排出手段を備える場合には、裏面空間の排熱が円滑に行え、発電効率の低下を抑制することができる。
【００１６】
さらに、本発明の外装材は、前記外設パネルの構築構造に用いられ、載置部より内側に保持部材に係合する係合部を有し、折曲部は、外側下方へ向けて延在し、その下端が他方の外装材の載置部に当接しているので、重合部分を含めた重合部と被重合部とが筺状を形成するため、上方からの正荷重に対する耐力が高く、その上面部を、前述の外設パネルの取付箇所として利用することもでき、或いは作業者が当該箇所を足場として歩行することもできる。
また、重合部ばかりでなく、被重合部にも折曲部を設け、しかもその下端が他方の外装材の載置部に当接する場合には、より一層強度が高い重合部分として、閉鎖状の筺状部分が形成されるものとなる。しかも、折曲部の下端が当接していることで、外装材上に吹き付けても空間内に雨水が廻りにくい構造となる。
【図面の簡単な説明】
【００１７】
【図１】（ａ）本発明の外設パネルの構築構造の一実施例（第１実施例）を示す正面図、（ｂ）それに用いた外設パネル（太陽電池パネル）の拡大正面図、（ｃ）それに用いた保持部材の拡大正面図、（ｄ）それに用いた外装材の拡大正面図、（ｅ）それに用いた固定部材の拡大正面図である。
【図２】（ａ）他の一実施例（第２実施例）である外設パネル（太陽電池パネル）の構築構造を示す正面図、（ｂ）それに用いた外装材の組み合わせ部分の拡大正面図、（ｃ）他の一実施例（第３実施例）である外設パネル（緑化パネル）の構築構造を示す正面図、（ｄ）それに用いた外装材の組み合わせ部分の拡大正面図である。
【図３】他の一実施例（第３実施例）を示す斜視図である。
【図４】（ａ）他の一実施例（第４実施例）である外設パネル（太陽電池パネル）の構築構造を示す正面図、（ｂ）それに用いた外装材の組み合わせ部分の拡大正面図、（ｃ）他の一実施例（第５実施例）である外設パネル（緑化パネル）の構築構造を示す正面図、（ｄ）それに用いた外装材の組み合わせ部分の拡大正面図である。
【図５】他の一実施例（第６実施例）を示す斜視図である。
【図６】（ａ）他の一実施例（第７実施例）である外設パネル（太陽電池パネル）の構築構造を示す正面図、（ｂ）それに用いた保持部材の正面図、（ｃ）それに用いた外装材の正面図である。
【図７】（ａ）他の一実施例（第８実施例）に用いた保持部材の正面図、（ｂ）それに用いた外装材の正面図、（ｃ）それらを組み合わせた部分を示す正面図である。
【図８】（ａ）他の一実施例（第９実施例）に用いた保持部材の正面図、（ｂ）それに外装材を組み合わせた部分を示す正面図、（ｃ）他の一実施例（第１０実施例）に用いた保持部材の正面図、（ｄ）それに外装材を組み合わせた部分を示す正面図である。
【発明を実施するための形態】
【００１８】
本発明の外設パネルの構築構造は、外装材の両側縁に立ち上がり部と、各立ち上がり部上端をそれぞれ外側に延出した載置部とを有し、一方には前記載置部から起立すると共に外側に延出した重合部を形成し、他方には前記載置部から起立すると共に内側に延出した被重合部を形成し、前記重合部、被重合部は、略平坦状に上面部が形成されて重合すると共に、重合部は、上面部の外側端から下方への折曲部を形成した外装構造と、前記外装構造の載置部に外設パネルの側部を載乗し、上面部に前記外設パネルを保持する固定部材を固定したことを特徴とする。
以下に、この取付構造に用いられる（Ａ）外装構造、（Ｂ）外設パネル、（Ｃ）固定部材の各構成について順に説明する。
【００１９】
（Ａ）外装構造
本発明における外装構造は、外装材の両側縁に立ち上がり部と、各立ち上がり部の上端をそれぞれ外側に延出した載置部とを有し、一方には前記載置部から起立すると共に外側に延出した重合部を形成し、他方には前記載置部から起立すると共に内側に延出した被重合部を形成し、前記重合部、被重合部は、略平坦状に上面部が形成されて重合すると共に、重合部は、上面部の外側端から下方へ折り下げた折曲部を形成した構成である。
即ち本発明における外装材は、(１)立ち上がり部、(２)載置部、(３)重合部、(４)被重合部、(５)起立部、(６)上面部、(７)折曲部を備える構成であって、それ以外の構成については、特に限定するものではなく、該外装材を取り付けるための保持部材等に嵌合、係合するものでも、ビス止めするものであってもよく、その併用であってもよい。
【００２０】
(１)立ち上がり部
外装材の両側縁に設ける立ち上がり部は、後述する図示実施例のように傾斜状に設けることが多く、またこの立ち上がり部には、保持部材に係合する係合部（嵌合部）を設けることが好ましい。
【００２１】
(２)載置部
この載置部は、各立ち上がり部の上端をそれぞれ外側に延出して形成される構成であって、具体的には右側の立ち上がり部の上端を右側に延出して右側の載置部が形成され、左側の立ち上がり部の上端を左側に延出して左側の載置部が形成される。そして、この載置部は、外設パネルを支持する部位であるため、後述する図示実施例のようにこの載置部の裏面を保持部材の上面に載乗（受支）させることが好ましい。また、安定に載乗させるためには、後述する図示実施例のように保持部材の上面（支持部）及び配設状態における載置部は略水平状であることが望ましい。
【００２２】
(３)重合部
この重合部は、一方の前記(２)載置部から起立すると共に外側に延出するものであり、上面が略平坦状に形成され、更にその(６)上面部の外側端から下方へ折曲する(７)折曲部を有する構成である。即ちこの重合部は、後述する(５)起立部と、(６)上面部と、(７)折曲部とからなる構成である。
【００２３】
(４)被重合部
この被重合部は、他方の前記(２)載置部から起立すると共に内側に延出するものであり、前記(３)重合部と同様に上面が略平坦状に形成される構成である。即ちこの被重合部は、後述する(５)起立部と、(６)上面部とを備える構成であるが、前記(３)重合部と同様に更に(７)折曲部を備えることが好ましい。
また、雨仕舞をより向上させるために、前記（３）重合部とこの（４）被重合部間にはブチルゴム等の弾性止水材を介在させることが好ましい構成である。
【００２４】
(５)起立部
この起立部は、前記(３)重合部、前記(４)被重合部の一部であって、前記一方及び他方の前記(２)載置部から起立する部位を指し、特に限定するものではないが、後述する図示実施例のように略鉛直状に形成することが好ましい。
【００２５】
(６)上面部
この上面部は、前記(３)重合部、前記(４)被重合部の一部であって、前記一方及び他方の前記(５)起立部から略平坦状に延出する部位を指し、一方の(５)起立部から外側へ、他方の(５)起立部から内側へ、それぞれ延出するものであって、組み付けた（重合させた）状態では一方から他方へ向かって延出するように形成される。
【００２６】
(７)折曲部
この折曲部は、前記(３)重合部の一部であって、前記(６)上面部の外側端から下方へ折り下げた部位を指し、その下端が他方の外装材の(２)載置部に当接することが望ましい。更にその場合、略鉛直状に折り下げられて(２)載置部に当接することがより望ましい。この折曲部は、前記(３)重合部ばかりでなく、前述のように(４)被重合部にも設けてもよく、その場合も、前述のようにその下端が他方の外装材の(２)載置部に当接すること、略鉛直状に折り下げられて当接することが望ましい。
【００２７】
それ以外の外装材の構成の一例として、保持部材の起立係止部に係合する係合溝を有する構成を備える場合には、負圧に対して強固な構造とすることができる。この係合溝は、下方が開放する溝状であり、上向きの係止突起である起立係止部に上方から係合するものであり、前記係合部と被係合部との係合と相俟って外装材をより安定に保持することができ、負圧に対して強固な構造とすることができる。
【００２８】
（Ｂ）外設パネル
この外設パネルとしては、太陽電池パネルや緑化パネル、新設の屋根パネルなどが想定されるが、これらに限定するものではなく、屋根に設置する外設パネルであれば特にその構成を特定するものではない。
【００２９】
（Ｃ）固定部材
この固定部材は、前記(２)載置部に側部を載乗した(Ｂ)外設パネルを、前記(６)上面部に固定することにより保持するものである。
【００３０】
なお、本発明は、前述の外設パネルの構築構造に用いられる外装材をも提案するものであって、載置部より内側に保持部材に係合する係合部を有し、折曲部は、外側下方へ向けて延在し、その下端が他方の外装材の載置部に当接している構成であり、被重合部には、上面部の内側端から下方への折曲部を形成していることが好ましい。
【００３１】
保持部材との係合部は、後述する図示実施例のように載置部の直下に設けるものでも、更に内側に設けるものでも、外装材の面板部等に設けるものでもよく、複数設けるものでもよい。
また、保持部材は、外装材の載置部がパネルを支持する部位であることから保持部材の一部（後述する図示実施例では支持部）が載置部裏面に当接もしくは近接することが好ましい。後述する図示実施例では、保持部材の左右に、略水平状の支持部を設け、その左右の外側にそれぞれ外方へ突出する被係合部を設けたので、支持部に載置部が安定に載乗し、その外側に位置する被係合部に係合部が係合するものとなる。
そのため、外設パネルの側部を、裏面側に保持部材の支持部が受支する載置部に、安定に載乗することができ、その際に外装材が保持部材から外れることがなく、外設パネルの荷重を保持部材に負担させることができる。
この保持部材としては、前述のように外装材の載置部を支持する支持部、外装材の立ち上がり部（係合部）が係合する被係合部、下地に固定するための固定部を備える構成が望ましい。各部位についても、特にその形状等の構成を限定するものではなく、例えば被係合部としては、係合させる外装材の立ち上がり部（係合部）の形状に応じてどのように形成してもよく、後述する図示実施例に示すように外方へ突出して内方へ凹む形状でも、外方へ延出した横片とその下方の隅部であってもよい。また、前述のようにより安定な保持、並びに負圧に対する強い保持強度を求める場合には、その左右の外側に位置する上向きの係止突起である起立係止部を設けることが望ましい。この係止突起としては、略楔状でも、内側へ傾斜する先端が細径な形状でも、内側へ傾斜する先端が更に内側へ傾斜する形状であってもよい。
【００３２】
本発明における外装材は、代表的には概ね０．４〜１．６ｍｍ程度の溶融亜鉛メッキ鋼板やガルバリウム鋼板等の防錆処理鋼板、特殊鋼、非鉄金属、ステンレス鋼板、耐候性鋼板、銅板、アルミニウム合金板、鉛板、亜鉛板、チタニウム板などが挙げられるが、特にこれらに限定されるものではない。これらは殆ど長尺なコイル状形態で供給される。そして、上記各種の長尺なコイル状の金属材料を定尺切断したり、左右の側縁にはロール成形等により成形が施される。
【００３３】
本発明における外設パネルとしては、前述のように太陽電池パネル、緑化パネル、新設の屋根パネルなどが想定される。特に太陽電池パネルを用いる場合には、太陽電池パネルの対向部分及び／又は太陽電池パネルの端部に、裏面空間内の空気を排出する排出手段を備えることが好ましく、具体的な排出手段としては、吹き付けた風が上方に乱流を起こすような起立状部を取り付ければよい。なお、対向部分とは、流れ方向に隣接する（間隔を有して）箇所を指し、端部とは、流れ方向の最上部を指す。また、裏面空間とは、外装材の連続方向に連続する空間を指す。
【００３４】
この起立状部は、対向間隔に取り付ける目地部材に一体的に又は固定するなどして設けてもよいし、太陽電池パネルの枠体に一体的に又は固定するなどして設けてもよいし、起立状部を有する単独部材を配設するようにしてもよい。目地部材や枠体に対して固定する手段としては、ビス等の固定具を用いてもよいし、嵌合、係合、挟着等特に限定するものではない。
そして、この起立状部を太陽電池パネルの対向部分及び／又は太陽電池パネルの端部に設けることにより、起立状部に当たった風が上方に乱流を起こし、起立状部の上端を減圧状態とするため、太陽電池パネル３の裏面空間の空気が表面側へ吸い出す作用が果たされ、裏面空間の空気の流れを著しく速め、太陽電池セル自体が発生する温度を抑えることで発電効率の低下を防ぐことができる。
【実施例】
【００３５】
図１（ａ）に示す第１実施例の外設パネル３の構築構造は、図１（ｄ）に拡大して示す外装材１にて形成した外装構造と、該外装構造の載置部に外設パネル３の側部を載乗し、上面部に前記外設パネル３を保持する固定部材４を固定してなる構造である。
【００３６】
この第１実施例における外装材１は、略平坦状の面板部１１の両側縁に傾斜状に設けた立ち上がり部１２，１２'と、これらの立ち上がり部１２，１２'の上端をそれぞれ外側に延出した載置部１３，１３'とを有する。なお、図では面板部１１の左側を一方側とし、右側を他方側とし、他方側の部位には符号に「'」を付して区別した。また、図示実施例では、立ち上がり部１２，１２'の上端に、保持部材２に係合する係合部１２１，１２１'が外側へ略膨出状に設けられている。
【００３７】
また、一方の載置部１３には、その外側端から略鉛直状に起立する起立部１４１と、該起立部１４１の上端から外側に略平坦状に延出させた上面部１４２と、該上面部１４２の外側端から膨出状に延在する膨出部１４５と、該膨出部１４５を折り下げて形成した折曲部１４３とを含む重合部１４を形成した。なお、折曲部１４３の下端は、外側へ屈曲されて当接部１４４を形成している。
また、他方の載置部１３'には、その外側端から略鉛直状に起立する起立部１５１と、該起立部１５１の上端から内側に略平坦状に延出させた上面部１５２とを含む被重合部１５を形成した。
そして、この外装材１を図１（ａ）に示すように敷設した状態では、重合部１４の起立部１４１及び上面部１４２が、隣接する外装材１の被重合部１５の起立部１５１及び上面部１５２に重合すると共に、重合部１４の膨出部１４５が被重合部１５の上面部１５２の外端縁を包むように延在し、当接部１４４が載置部１３'に当接する。
【００３８】
前記外装材１を取り付けるための保持部材２は、図１（ｃ）に示すように逆ハット状の下方部材２ａと、断面が略鍋状の上方部材２ｂとを、固定部材（ボルトナット）２ｃにて一体化した構成である。下方部材２ａには、下地材６の上面に沿わせて固定する固定部２１が設けられている。また、上方部材２ｂには、前記外装材１の係合部１２１，１２１'が係合する被係合部２２，２２が左右の側端に突出状に設けられ、該被係合部２２，２２の内側には前記外装材１の載置部１３，１３'を支持する略水平状の支持部２３，２３が設けられている。
【００３９】
前記外設パネル３は、この第１実施例では図１（ｂ）に示すように太陽電池パネルであって、略平坦状のパネル本体３０の端縁に略Ｅ字状の枠体３１，３１が一体的に取り付けられた構成である。
【００４０】
前記固定部材４は、前記外設パネル３である太陽電池パネルを、前記外装材１の上面部１４２，１５２に保持するための部材であって、図１（ｅ）に示すように板材であり、その両端がそれぞれ太陽電池パネル３，３の上面を押さえる押さえ部４１，４１であり、その中央部分が上面部１４２に支持されて固定具５を打ち込む固定部４２である。
【００４１】
これらの構成を有する外装材１、保持部材２、外設パネル３、及び固定部材４から構成される図１（ａ）の外設パネル３の構築構造は、隣接する外装材１，１の重合部１４及び被重合部１５を重合させて形成される上面部１４２，１５２が、重合状の起立部１４１，１５１、及び折曲部１４３で中空の略筺状部分を形成するため、上方からの正荷重に対する耐力が高い。また、この第１実施例では締め付けタイプの固定具５及び固定部材４にて太陽電池パネル３を固定したが、例えばビス等の固定具でも、当該第１実施例の締め付けタイプの固定具５でも同様に漏水を起こすこともなく、ビス止め等の上方からの圧力にも耐え、太陽電池パネル３を設置するために直接ビス等の固定具で直止めすることも可能である。
特にこの第１実施例では、折曲部１４３の下端（当接部１４４）が他方の外装材１の載置部１３'に当接するので、上辺を形成する重合状の上面部１４２，１５２及び右側辺を形成する起立部１４１，１５１と閉鎖状の筺状部分を形成するため、上方からの正荷重に対する耐力がより高いものとなり、例えば作業者が当該箇所を足場として歩行することもできる。
【００４２】
また、この第１実施例では、外装材１に載置部１３，１３'より内側に保持部材２に係合する係合部１２１，１２１'を設けたので、外装材１の載置部１３，１３'が太陽電池パネル３を支持する部位であるから、太陽電池パネル３の側部（枠体３１，３１）を載置部１３，１３'に載乗させた際に外装材１が保持部材２から外れることがなく、太陽電池パネル３の荷重を保持部材２に負担させることができる。
さらに、この第１実施例における膨出部１４５は、被重合部１５の上面部１５２の外端縁を包むように配置され、重合部１４と被重合部１５との隙間から雨水が浸入しようとするのを防止することができる。
【００４３】
図２（ａ），（ｂ）に示す第２実施例は、外装材１'の重合部１４の折曲部１４３が、上面部１４２の外端縁を下方へ折り下げて形成されている点が相違する。即ち前記膨出部１４５が存在しない点が前記第１実施例と相違する構成であり、それ以外の構成は、図面に同一符号を付して説明を省略する。
【００４４】
図２（ｃ），（ｄ）、及び図３に示す第３実施例は、前記第１，２実施例にて使用した外装材１，１'及び保持部材２に比べて縦長の外装材１"及び保持部材２"を用い、太陽電池パネル３に代えて模式化して示した緑化パネル３"を用いた例である。なお、固定具５"はビスであり、下地材６"はＨ鋼材等の躯体である。
そのため、この第３実施例の外装材１"の立ち上がり部１６，１６'は、前記第１，２実施例の立ち上がり部１２，１２'より縦長であり、保持部材２"の下方部材２ｄは、前記第１，２実施例の下方部材２ａより縦長である。なお、外装材１"の載置部１３、１３'、重合部１４（起立部１４１、上面部１４２、折曲部１４３）、被重合部１５（起立部１５１、上面部１５２）については、それぞれ前記第１，２実施例に比べて幅広であるか、縦長であるが、同一符号を付している。
【００４５】
この第３実施例でも、前記第１，第２実施例と同様に、隣接する外装材１"，１"の重合部１４及び被重合部１５を重合させて形成される上面部１４２，１５２が、重合状の起立部１４１，１５１、及び折曲部１４３と共に中空の略筺状部分を形成するため、上方からの正荷重に対する耐力が高い。そのため、ビスである固定具５"を固定部材４から上面部１４２，１５２に打ち込んで容易に緑化パネル３"を取り付けることができ、該構造でも漏水を起こすこともない。
また、この第３実施例でも、前記第１，第２実施例と同様に、折曲部１４３の下端（当接部１４４）が他方の外装材１"の載置部１３'に当接するので、閉鎖状の筺状部分が形成されるため、上方からの正荷重に対する耐力がより高いものとなり、例えば作業者が当該箇所を足場として歩行することもできる。
さらに、この第３実施例でも、載置部１３，１３'より内側に保持部材２"に係合する係合部１６１，１６１'を設けたので、外装材１の載置部１３，１３'が緑化パネル３を支持する部位であるから、緑化パネル３"を載置部１３，１３'に載乗させた際に外装材１"が保持部材２"から外れることがなく、緑化パネル３"の荷重を保持部材２"に負担させることができる。
【００４６】
図４（ａ），（ｂ）に示す第４実施例は、緑化パネル３"に代えて太陽電池パネル３を用い、板材である固定部材４に代えて中央部分である固定部４２"が凹んだ断面が皿状の固定部材４"を用いた以外は、前記第３実施例と殆ど同様であるから、図面に同一符号を付して説明を省略する。
【００４７】
図４（ｃ）に示す第５実施例は、図面左側に形成されている山状の外装構造は前記第４実施例と同様であり、図面右側に形成されている山状の外装構造は、それぞれ幅広の載置部１７，１７'、上面部１４２"，１５２"を用い、それに応じて保持部材２'"の上方部材２ｂ"も、固定部材４'"の固定部４２'"も幅広のものを用いた。また、この第５実施例では、重合部１４に加えて被重合部１５にも、折曲部１５３が設けられており、該折曲部１５３の下端は内側へ屈曲されて当接部１５４を形成しており、敷設状態ではこの当接部１５４は載置部１７'に当接する。
そして、この第５実施例では、重合部１４と被重合部１５とで形成される筺状部分が上辺（上面部１４２"，１５２"）及び両側辺（起立部１４１，１５１及び折曲部１４３，１５３）とも重合片にて形成されるため、前記第１〜第４実施例よりも更に強度が高いものとなる。しかも、折曲部１４３，１５３の下端が当接していることで、外装材１上に吹き付けても空間内に雨水が廻りにくい構造となる。
【００４８】
図５に示す第６実施例は、図中の右上が水上側（棟側）、左下が水下側（軒側）を指すものであって、前記第１実施例と同様の外装材１にて形成された外装構造に、前記第３実施例と同様に板材である固定部材４及びビスである固定具５"を用いて太陽電池パネル３を取り付けたものであって、太陽電池パネル３の棟側に、起立状部７１を一体的に取り付けた構成である。
この第６実施例の起立状部７１は、略Ｌ字状材７の縦片部分であって、太陽電池パネル３の枠体３１と外装材１の載置部１３，１３'との間に略Ｌ字状材７の横片部分７２が挟着状に取り付けられている。
【００４９】
そして、この第６実施例では、起立状部７１を太陽電池パネル３の棟端に設けたので、起立状部７１に当たった風が上方に乱流を起こし、起立状部７１の上端を減圧状態とするため、裏面空間（太陽電池パネル３と外装材１との間）の空気が表面側へ吸い出す作用が果たされ、図中に白抜き矢印にて示したように軒側から棟側へ向かう裏面空間の空気の流れを著しく速め、太陽電池セル自体が発生する温度を抑えることで発電効率の低下を防ぐことができる。
【００５０】
図６（ａ）に示す第７実施例は、図６（ｂ）に示す保持部材２Ｗと、図６（ｃ）に示す外装材１Ｗにて形成した外装構造に、点線で示す太陽電池パネル３を配設してなる構造であり、保持部材２Ｗに形成した上向きの係止突起である起立係止部２４に外装材１Ｗに形成した下方が開放する係合溝１８を係合させて取り付けることにより、係合部１２１と被係合部２２との係合と相俟って外装材１Ｗをより安定に保持でき、負圧に対して強固な構造としたものである。
【００５１】
この第７実施例における外装材１Ｗは、略平坦状の面板部１１の両側縁に上方へ突出するように折り上げて下方が開放する係合溝１８を介して傾斜状の立ち上がり部１２，１２’を設けた構成であり、立ち上がり部１２，１２’の上端をそれぞれ外側に延出した載置部１３，１３’とを有する。なお、前記係合溝１８の外側には内側下方へ膨出状の溝状部１９が形成され、前記内側載置部１３，１３’の外側の重合部１４、被重合部１５等の構成は前記第１実施例とほぼ同様であるから図面に符号を付して説明を省略する。
また、上記保持部材２Ｗは、下地材６に沿わせる水平片の略中央に中空の略矩形隆状部２０ｗが形成され、該略矩形隆状部２０ｗの頂部に略水平状の支持部２３を有し、その端部に膨出状の被係合部２２を有する。また、前記水平片の左右の端部には、上向きの係止突起である起立係止部２４，２４を有し、その内側には先端が更に内側へ傾斜する上向き片２５，２５を有し、これらの起立係止部２４と上向き片２５との間に上方が開放する溝状の係合空間２６が形成されている構成である。なお、この保持部材２の固定部２１は、前記水平片のうち、図示するように前記略矩形状隆状部２０ｗの外側に位置する部分である。
【００５２】
そして、前記保持部材２Ｗを下地材６上に固定し、その起立係止部２４に前記外装材１Ｗの係合溝１８を上方から嵌合させると共に、係合空間２６に溝状部１９を配置させ、上向き片２５及び略矩形隆状部２０ｗ（の傾斜側壁２０１）に立ち上がり部１２を沿わせ、被係合部２２に係合部１２１を係合させ、支持部２３に載置部１３を支持させるように配設する。
そのため、係合部１２１と被係合部２２との係合に加え、係合溝１８と起立係止部２４とが係合するため、外装材１Ｗをより安定に保持部材２Ｗに保持でき、負圧に対して強固な構造とできる。しかも、起立係止部２４の上端内側には略楔状の係止部分２４１が設けられているので、係合溝１８を強固に係止することができる。
【００５３】
図７（ｃ）に示す第８実施例は、図７（ａ）に示す保持部材２Ｘと、図７（ｂ）に示す外装材１Ｘにて形成した外装構造に、図示しない太陽電池パネル（３）を配設してなる構造であり、前記図６の第７実施例とほぼ同様に保持部材２Ｘに形成した上向きの係止突起である起立係止部２４ｘに外装材１Ｘに形成した下方が開放する係合溝１８を係合させて取り付けることにより、係合部１２１と被係合部２２との係合と相俟って外装材１Ｘをより安定に保持でき、負圧に対して強固な構造としたものである。
【００５４】
この第８実施例における外装材１Ｘは、立ち上がり部１２，１２'の内側に上方へ突出するように折り上げて下方が開放する係合溝１８，１８'を形成した構成など、前記図７の第７実施例における外装材１Ｗとほぼ同一であり、図面に同一符号を付して説明を省略する。
また、この第８実施例における保持部材２Ｘは、水平片の略中央に形成される中空の略矩形隆状部２０ｘが、前記図６の第７実施例における略矩形隆状部２０ｗとほぼ同一の高さに形成され、その頂部には略水平状の支持部２３が形成され、その端部に膨出状の被係合部２２が形成される点では同様であるが、この略矩形隆状部２０ｘは、前記第７実施例の略矩形隆状部２０ｗに比べて下方部分が幅広（横長）に形成されている。さらに、前記水平片の左右の端部には、上向きの係止突起である起立係止部２４ｘ，２４ｘが形成される点では同様であるが、各起立係止部２４ｘの上端には、略楔状の係止部分（２４１）に代えて内側へ傾斜する先端が細径な係止部分２４２が設けられている。また、起立係止部２４ｘ，２４ｘの内側には、上向き片（２５）が形成されないので、係合空間（２６）も形成されない。
【００５５】
そして、前記保持部材２Ｘを図示しない下地材（６）上に固定し、その起立係止部２４ｘに前記外装材１Ｘの係合溝１８を上方から嵌合させると共に、この起立係止部２４ｘの基端（内側）に溝状部１９を配置させ、略矩形隆状部２０ｘの傾斜側壁２０１ｘに立ち上がり部１２を沿わせ、被係合部２２に係合部１２１を係合させ、支持部２３に載置部１３を支持させるように配設する。
そのため、前記図６の第７実施例と同様に係合部１２１と被係合部２２との係合に加え、係合溝１８と起立係止部２４ｘとが係合するため、外装材１Ｘをより安定に保持部材２Ｘに保持でき、負圧に対して強固な構造とできる。
加えてこの第８実施例では、立ち上がり部１２，１２'を支持する傾斜側壁２０１ｘが前記第７実施例のもの（２０１）に比べて幅広であるためより安定に支持できる。
また、この第８実施例の保持部材２Ｘには、上向き片２５を形成していないので、少なくともその分だけ安価に作成できる。
【００５６】
なお、前記第７実施例の係止部分２４１もこの第８実施例の係止部分２４２も、外装材１Ｘに負圧が作用した際の抵抗となるが、以下に示すように僅かに相違する。
前記第７実施例の係止部分２４１は、略楔状に形成されているため、その下端が係合溝１８の引っ掛けとなり、その上方への抜けを防止する抵抗となる。
それに対し、この第８実施例の係止部分２４２は、内側へ傾斜する先端が細径な形状であるため、その先端が係合溝１８の奥深（上端）まで侵入して内側へ引っ張り、外装材１Ｘの面板部１１を外方へ引っ張る作用を果たすので、負圧に対する大きな抵抗となる。
【００５７】
図８（ｂ）に示す第９実施例は、図８（ａ）に示す保持部材２Ｙと、図７（ｂ）に示す外装材１Ｘにて形成した外装構造に、図示しない太陽電池パネル（３）を配設してなる構造であり、図８（ｄ）に示す第１０実施例は、図８（ｃ）に示す保持部材２Ｚと、図７（ｂ）に示す外装材１Ｘにて形成した外装構造に、図示しない太陽電池パネル（３）を配設してなる構造である。
そして、これらの第９実施例や第１０実施例は、前記図６の第７実施例や前記図７の第８実施例とほぼ同様に保持部材２Ｙ，２Ｚに形成した上向きの係止突起である起立係止部２４ｙ、２４ｚに外装材１Ｘに形成した下方が開放する係合溝１８を係合させて取り付け、係合部１２１と被係合部２２との係合と相俟って外装材１Ｘをより安定に保持でき、負圧に対して強固な構造とした。
【００５８】
図８（ａ）の第９実施例における保持部材２Ｙは、略楔状の係止部分（２４１）に代えて内側へ傾斜する先端が更に内側へ傾斜する係止部分２４３が設けられている以外の構成は、前記図６の第７実施例の保持部材２Ｗと全く同様であるから、図面に同一符号を付して説明を省略する。なお、前記第７実施例の係止部分２４１もこの第９実施例の係止部分２４３も、外装材１Ｘに負圧が作用した際の抵抗となるが、以下に示すように僅かに相違する。
前記第７実施例の係止部分２４１は、前述のように略楔状に形成され、その下端が係合溝１８の引っ掛けとなるため、その上方への抜けを防止する抵抗となっている。
それに対し、この第９実施例の係止部分２４３は、内側へ傾斜する先端が更に内側へ傾斜する形状であるため、前記図７の第８実施例における係止部分２４２と同様にその先端が係合溝１８の奥深（上端）まで侵入して内側へ引っ張り、外装材１Ｘの面板部１１を外方へ引っ張る作用を果たすので、負圧に対する大きな抵抗となる。
【００５９】
図８（ｃ）の第１０実施例における保持部材２Ｚは、略矩形隆状部２０ｚの頂部（支持部２３）が略水平状の横片であり、その先端が被係合部２２ｚである以外の構成は、前記図７の保持部材２Ｘと全く同様であるから、図面に同一符号を付して説明を省略する。
この第１０実施例では、前記第８実施例と同様の効果を果たし、立ち上がり部１２，１２'を支持する傾斜側壁２０１ｚが幅広であるためより安定に支持でき、上向き片２５を形成していないので、少なくともその分だけ安価に作成できる。また、係止部分２４２は、内側へ傾斜する先端が細径な形状であるため、その先端が係合溝１８の奥深（上端）まで侵入して内側へ引っ張り、外装材１Ｘの面板部１１を外方へ引っ張る作用を果たすので、負圧に対する大きな抵抗となる。
なお、当該実施例における保持部材２Ｚに設けた被係合部２２ｚは、外方へ延出した横片とその下方の隅部（空部）としたが、外装材１Ｗの係合部１２１が係合できる構成であればどのような形状でもよい。
【符号の説明】
【００６０】
１，１'，１"，１Ｗ、１Ｘ  外装材
１１  面板部
１２，１２'  立ち上がり部
１２１，１２１'  係合部
１３，１３'  載置部
１４  重合部
１４１  起立部
１４２  上面部
１４３  折曲部
１５  被重合部
１５１  起立部
１５２  上面部
１６，１６'  立ち上がり部
１７，１７'  載置部
１８  係合溝
１９  溝状部
２，２Ｗ〜２Ｚ  保持部材
２ａ  下方部材
２ｂ  上方部材
２１  固定部
２２  被係合部
２３  支持部
２４  起立係止部
２５  上向き片
２６  係合空間
３  太陽電池パネル
３０  パネル本体
３１  枠体
３"  緑化パネル
４  固定部材
５  固定具
６，６"  下地材
７  略Ｌ字状材
７１  起立状部
【図１】
2014077340.tif 000003
【図２】
2014077340.tif 000004
【図３】
2014077340.tif 000005
【図４】
2014077340.tif 000006
【図５】
2014077340.tif 000007
【図６】
2014077340.tif 000008
【図７】
2014077340.tif 000009
【図８】
2014077340.tif 000010